(57)【要約】【課題】パネルを取付枠体に簡単に取付けできると共に、その固着具が破損等した時にパネルの脱落を防止できる外壁パネル体とする。【解決手段】パネル４の背面４ｂに取付ボルト２１を固着し、その取付ボルト２１を取付枠体３の透孔２３に挿入してナット２２を螺合してパネル４を取付枠体３に取付けることで、そのパネル４を取付枠体３に簡単に取付けできるようにし、前記パネル４の背面４ｂに支持部材３１を固着すると共に、取付枠体３に受け部材３３を取付け、この支持部材３１を受け部材３３に係止することで前記取付ボルト２１の外れ等の固着具の破損があってもパネル４が脱落しないようにした外壁パネル体。【選択図】図４
2008280739.tif 000002
【特許請求の範囲】
【請求項１】
取付枠体にパネルを固着具で固着して取付けると共に、パネルと取付枠体に亘って脱落防止具を取付けた外壁パネル体であって、
前記固着具は、パネルに固着した取付部材と、固着部材を備え、その取付部材を取付枠体の枠材の透孔に挿通して固着部材で固着するものとし、
前記脱落防止具は、パネルに固着した支持部材と、前記取付枠体に取付けられる受け部材を備え、この受け部材は、前記パネルを取付枠体に取付けた状態で前記支持部材が上下方向に係止して支持する位置に取付けできるようにしたことを特徴とする外壁パネル体。
【請求項２】
支持部材は受け部材に係止する下向き鉤形状で、
受け部材は、パネルを取付枠体に取付けた状態で前記支持部材が係止する位置に取付けできるようにした請求項１記載の外壁パネル体。
【請求項３】
パネルの背面に下向き鉤形状の支持部材を固着して下向き凹部を形成し、
受け部材は、取付枠体の上横枠材における取付部分に取付けられると共に、前記下向き凹部に嵌まり合って係止する受け部を有し、
前記受け部材は、パネルを取付枠体に取付けた状態で、前記取付部分に沿って受け部が下向き凹部に嵌まり合う位置まで移動可能である請求項１記載の外壁のパネル体。
【請求項４】
パネルの背面に、下向き鉤形状の支持部材が固着され、
取付枠体の上横枠材は、室外側横板と室外側上向板を有し、
この室外側上向板にパネルの背面が接して取付けられると共に、前記支持部材が挿通する切欠部が形成され、
前記支持部材と、前記室外側横板、室外側上向板との間に入り込むまで受け部材がスライド可能とした請求項１記載の外壁パネル体。
【請求項５】
請求項１〜４いずれか１項に記載の外壁パネル体を、その取付枠体を建物躯体にファスナーで取付けたことを特徴とする建物外壁。
【発明の詳細な説明】
【技術分野】
【０００１】
本発明は、建物外壁に用いる外壁パネル体及びその外壁パネル体を建物躯体に取付けた建物外壁に関する。
【背景技術】
【０００２】
特許文献１に、パネルの四周縁に補強レールを設けて外壁パネル体とし、この補強レールを、建物躯体に固着した取付レールに固着することで外壁パネル体を建物躯体に取付けて建物外壁とすることが開示されている。
【特許文献１】特開２００２−２１２３３号公報
【発明の開示】
【発明が解決しようとする課題】
【０００３】
前述した従来の外壁パネル体は、パネルの四周縁に固着した補強レールを、建物躯体に固着した取付レールに固着して取付けるもので、そのパネルが取付レール（つまり、建物躯体側）に直接固着されていないから、パネルと補強レールの固着が弛むと、補強レールが取付レールに強固に固着されていても、そのパネルが建物躯体側から脱落する恐れがある。
このことを防止するにはパネルを補強レールに強固に固着して弛むことがないようにすることが考えられるが、このようにしても固着具が破損するとパネルが脱落するし、パネルを補強レールに取付ける作業が面倒となる。
【０００４】
本発明の目的は、パネルを取付枠体に固着具で固着して取付け、その取付枠体を建物躯体側に固着して取付ける外壁パネル体とし、その固着具が破損等してもパネルが取付枠体から脱落することがないと共に、パネルを取付枠体に簡単に取付けできる外壁パネル体、及び外壁パネル体を用いた建物外壁を提供することである。
【課題を解決するための手段】
【０００５】
本発明の外壁パネル体は、取付枠体にパネルを固着具で固着して取付けると共に、パネルと取付枠体に亘って脱落防止具を取付けた外壁パネル体であって、
前記固着具は、パネルに固着した取付部材と、固着部材を備え、その取付部材を取付枠体の枠材の透孔に挿通して固着部材で固着するものとし、
前記脱落防止具は、パネルに固着した支持部材と、前記取付枠体に取付けられる受け部材を備え、この受け部材は、前記パネルを取付枠体に取付けた状態で前記支持部材が上下方向に係止して支持する位置に取付けできるようにしたことを特徴とする外壁パネル体である。
【０００６】
本発明の外壁パネル体においては、支持部材は受け部材に係止する下向き鉤形状で、
受け部材は、パネルを取付枠体に取付けた状態で前記支持部材が係止する位置に取付けできるものにできる。
このようにすれば、支持部材が受け部材にしっかりと係止してパネルの脱落を確実に防止できる。
【０００７】
本発明の外壁パネル体においては、パネルの背面に下向き鉤形状の支持部材を固着して下向き凹部を形成し、
受け部材は、取付枠体の上横枠材における取付部分に取付けられると共に、前記下向き凹部に嵌まり合って係止する受け部を有し、
前記受け部材は、パネルを取付枠体に取付けた状態で、前記取付部分に沿って受け部が下向き凹部に嵌まり合う位置まで移動可能であるものにできる。
このようにすれば、パネルを取付枠体に取付けた状態で受け部材を取付部分に沿って移動することで受け部が下向き凹部に嵌まり合って係止する位置とすることができ、受け部材を簡単に支持部材に係止する位置とすることができる。
【０００８】
本発明の外壁パネル体は、パネルの背面に、下向き鉤形状の支持部材が固着され、
取付枠体の上横枠材は、室外側横板と室外側上向板を有し、
この室外側上向板にパネルの背面が接して取付けられると共に、前記支持部材が挿通する切欠部が形成され、
前記支持部材と、前記室外側横板、室外側上向板との間に入り込むまで受け部材がスライド可能とすることができる。
このようにすれば、受け部材を室外側横板、室外側上向板に沿ってスライドすることで支持部材に係止する位置とすることができ、その操作が簡単である。
また、受け部材が室外側上向板に接し、その室外側上向板がパネルの背面に接するので、支持部材を受け部材にしっかりと係止して支持できる。
【０００９】
本発明の建物外壁は、請求項１〜４いずれか１項に記載の外壁パネル体を、その取付枠体を建物躯体にファスナーで取付けたことを特徴とする建物外壁である。
【発明の効果】
【００１０】
本発明の外壁パネルによれば、パネルから取付部材が外れたりなどの固着具が破損した場合に、パネルが取付枠体から脱落することを支持部材と受け部材で防止できる。
また、パネルを取付枠体に向けて平行移動して取付部材を取付枠体の透孔に挿入して固着部材で固着することでパネルを取付枠体に取付けでき、そのパネルの取付けが簡単である。
しかも、前述のようにしてパネルを取付けた後に脱落防止具の受け部材を取付けて支持部材が係止するようにできる。
【発明を実施するための最良の形態】
【００１１】
図１と図２に示すように、本発明の外壁パネル体１と他の外壁材２で建物外壁としてある。
前記外壁パネル体１は取付枠体３にパネル４を取付けたもので、その取付枠体３が建物躯体５に上下のファスナー６で固着して取付けてある。
前記パネル４は開口部４ａを有し、この開口部４ａにガラス７が装着されている。
そして、ガラス７が床８と天井９との間（居住空間）と対向し、パネル４の残った部分が建物躯体５と対向している。
なお、外壁パネル体１のパネル４はガラス７を備えないパネル４のみであっても良いし、その外壁パネル体１のみで建物外壁としても良い。
【００１２】
前記取付枠体３は図３に示すように左右の縦枠材１０と上横枠材１１と下横枠材１２で矩形状で、ガラス７を装着するために上中間横材１３と下中間横材１４が左右の縦枠材１０間に亘って固着して取付けてある。
前記パネル４は各枠材と各横材に固着具２０で固着して取付枠体３に取付けてある。
前記パネル４の上部と取付枠体３の上部（上横枠材１１）とに亘って脱落防止具３０が取付けてある。
この脱落防止具３０は、前記固着具２０が破損等してもパネル４が取付枠体３から落下しないように支持する。
【００１３】
前記固着具２０は図４〜図８に示すように、パネル４の背面４ｂ（室内側の面）に溶接などで固着して取付けた室内側に向かう取付部材、例えば取付ボルト２１と、固着部材、例えばナット２２を備え、各枠材、横材の室外側部１０ａ，１１ａ，１２ａ，１３ａ，１４ａに形成した透孔２３に取付ボルト２１を挿入して室外側部１０ａ，１１ａ，１２ａ，１３ａ，１４ａよりも室内側に突出し、その突出した部分にナット２２を螺合して固着して取付けるようにしてある。
このようであるから、取付枠体３に対してパネル４を平行姿勢を維持して取付枠体３に向けて移動、つまりパネル４を平行移動することで各取付ボルト２１を透孔２３にそれぞれ挿入し、各取付ボルト２にナット２２を螺合することでパネル４を取付枠体３に取付けでき、パネル４を取付枠体３に簡単に取付けできる。
【００１４】
前記透孔２３は取付ボルト２１よりも大径で、各透孔２３の加工誤差や各取付ボルト２１の取付け誤差などがあっても各取付ボルト２１を各透孔２３に挿入できるようにしてある。
前述のように透孔２３が取付ボルト２１よりも大径であるからナット２２をワッシャ２４を介して室外側部１０ａ，１１ａ，１２ａ，１３ａ，１４ａに押しつけるようにしてある。
【００１５】
前記脱落防止具３０は図９〜図１２に示すように、パネル４、例えばパネル４の背面４ｂの上部に固着した支持部材３１と、取付枠体３、例えば取付枠体３の上部（上横枠材１１）に固着具３２で固着して取付けられる受け部材３３を備えている。
前記支持部材３１と受け部材３３は、パネル４を取付枠体３に取付けた状態で支持部材３１が受け部材３３に脱落しないように上下方向に係止して支持されるようにしてある。
このようであるから、パネル４を取付枠体３に固着している固着具２０が破損、例えば取付ボルト２１が外れた時にパネル４が取付枠体３から脱落することがない。
【００１６】
前述のように支持部材３１を受け部材３３に上下方向に係止するには、パネル４とともに支持部材３１を上から下に向けて移動して受け部材３３に係止することになるが、本発明のパネル４は、前述のように平行移動して取付ボルト２１を取付枠体３の透孔２３に挿入してナット２２を螺合して取付けるので、前述のように支持部材３１を上から下に向けて移動できない。
そこで、本発明では、パネル４を取付枠体３に取付けた状態で、受け部材３３を支持部材３１が係止する位置に固着具３２で固着して取付けできるようにした。
【００１７】
このようにすることで、パネル４を取付枠体３に向けて平行移動して固着具２０で固着できると共に、支持部材３１が受け部材３３に脱落しないように上下方向に係止して支持できる。
【００１８】
前記脱落防止具３０の好ましい形態を説明する。
前記支持部材３１は、前記受け部材３３に係止する下向き鉤形状である。
そして、パネル４を取付枠体３に取付けた状態で受け部材３３を、前述のように支持部材３１が係止する位置に取付けできるようにする。
このようにすれば、パネル４に支持部材３１を固着し、そのパネル４を取付枠体３に取付けた後に、受け部材３３を取付けることでパネル４が取付枠体３から脱落することを防止できる。
【００１９】
前記支持部材３１は下向き鉤形状に限ることはなく、下面に開口した溝を有する形状とし、その溝が受け部材３３の上部に嵌合して係止するものとしても良い。
【００２０】
前記脱落防止具３０を詳細に説明する。
前記支持部材３１は下向き鉤形状で、パネル４の背面４ｂとによって下向き凹部３４を形成している。
例えば、支持部材３１は横向片３１ａと縦向片３１ｂで下向き鉤形状で、その横向片３１ａをパネル４の背面４ｂに溶接などで固着し、その縦向片３１ｂがパネル４の背面４ｂと室内外側方向の間隔を置いて対向して前述の下向き凹部３４を形成している。
この実施の形態ではパネル４がステンレス製で、支持部材３１は金属製で、溶接で固着してある。
【００２１】
前記受け部材３３は、前記下向き凹部３４に嵌まり合って係止する受け部３３ａと固着具３２で固着される取付部３３ｂを有している。
例えば、横片３３ｃと縦片３３ｄでＬ字形状で、その横片３３ｃに前記固着具３２が挿通する孔３５を形成して取付部３３ｂとし、縦片３３ｄを受け部材３３ａとしてある。
この受け部材３３は、パネル４を取付枠体３に取付けた状態で、その受け部３３ａが下向き凹部３４に嵌まり合って係止する位置に移動できるようにしてある。
例えば、上横枠材１１における受け部材３３を取付ける取付部分１１ｂに受け部材３３の取付部３３ｂを接した状態で、受け部材３３を上横枠材１１の長手方向に移動することによって、その受け部材３３の受け部３３ａを下向き凹部３４に嵌まり合うことができるようにする。
そして、前記上横枠材１１における取付部分１１ｂにビス孔３６を形成し、横片３３ｃの孔３５から固着具３２としてのビスをビス孔３６に螺合して受け部材３３を固着して取付ける。
【００２２】
前記上横枠材１１は、室内側の本体１５と、その本体１５の室外側部に一体的に設けた室外側横板１６と、この室外側横板１６の室外側端に一体的に設けた室外側上向板１７を有し、その室外側横板１６が前述の取付部分１１ｂで、室外側上向板１７が前述のパネル４を取付ける室外側部１１ａである。
前記室外側横板１６と室外側上向板１７に受け部材３３の横片３３ｃ、縦片３３ｄが長手方向にスライド自在に接している。
前記室外側上向板１７に、前記透孔２３が形成され、パネル４は、その背面４ｂが室外側上向板１７の室外側面１７ａに接するようにして取付けられる。
前記室外側上向板１７には支持部材３１が挿通する切欠部１８が形成してある。この切欠部１８の長さは受け部材３３（縦片３３ａ）の長さよりも短い。
【００２３】
前述のようにしてパネル４を取付枠体３に取付けると、パネル４の背面４ｂに固着した支持部材３１が切欠部１８を挿通し、縦向片３１ｂが室外側上向板１７よりも室内側に突出する。
この状態で受け部材３３をスライドして室外側横板１６と室外側上向板１７と下向き鉤形状の支持部材３１の間に入り込ませることによって、縦片３３ｄを下向き凹部３４に嵌まり合うようにして係止する。
この状態で固着具３２で受け部材３３を固着して取付ける。
【００２４】
このようにすることで、受け部材３３（縦片３３ｄ）が上横枠材１１の室外側上向板１７に接するから、支持部材３１が外れることなしにしっかりと受け部材３３に係止して支持できる。
また、室外側上向板１７にパネル４を固着具２０で固着したので、そのナット２２を取付枠体３の上方から容易に螺合でき、その作業が容易である。
【００２５】
前記ガラス７の取付けについて説明する。
図７と図８に示すように、ガラス７の外周縁部分７ａを他の部分よりも薄くし、その薄い外周縁部分７ａを左右の縦枠材１０のガラス嵌入溝１０ｂ、上中間横材１３、下中間横材１４のガラス挿入溝１３ｂ，１４ｂで支持し、そのガラス７の室外側面７ｂをパネル４の室外側面（正面）４ｃと面一としてある。
【００２６】
パネル４にガラス７を装着せずにパネル４のみとしても良い。この場合には取付枠体３に上下中間横材１３，１４を取付ける必要はない。
【図面の簡単な説明】
【００２７】
【図１】本発明の実施の形態を示す建物外壁の一部外観図である。
【図２】図１のＡ−Ａ断面図である。
【図３】外壁パネル体の正面図である。
【図４】図３のＢ−Ｂ拡大断面図である。
【図５】図３のＣ−Ｃ拡大断面図である。
【図６】図３のＤ−Ｄ拡大断面図である。
【図７】図３のＥ−Ｅ拡大断面図である。
【図８】図３のＦ−Ｆ拡大断面図である。
【図９】図３のＧ視拡大平面図である。
【図１０】図９のＨ−Ｈ拡大断面図である。
【図１１】パネル取付け手順説明用の斜視図である。
【図１２】パネル取付け手順説明用の斜視図である。
【符号の説明】
【００２８】
１…外壁パネル体、３…取付枠体、４…パネル、４ｂ…背面、１０…縦枠、１０ａ…室外側部、１１…上横枠材、１１ａ…室外側部、１２…下横枠材、１６…室外側横板、１７…室外側上向板、１８…切欠部、２０…固着具、２１…取付ボルト（取付部材）、２２…ナット（固着部材）、２３…透孔、３０…脱落防止具、３１…支持部材、３３…受け部材、３４…下向き凹部。
【図１】
2008280739.tif 000003
【図２】
2008280739.tif 000004
【図３】
2008280739.tif 000005
【図４】
2008280739.tif 000006
【図５】
2008280739.tif 000007
【図６】
2008280739.tif 000008
【図７】
2008280739.tif 000009
【図８】
2008280739.tif 000010
【図９】
2008280739.tif 000011
【図１０】
2008280739.tif 000012
【図１１】
2008280739.tif 000013
【図１２】
2008280739.tif 000014